(57)【特許請求の範囲】
【請求項１】
映像を映し出す映像表示手段と、
複数の広告映像データと、その広告映像データの少なくとも商品の銘柄を含む該広告映像データの属性を示す映像属性データとを記憶する広告映像記憶手段と、
商品の銘柄指定手段を含み、映像属性データを指定する属性入力手段と、
前記属性入力手段で入力された映像属性データに対応する広告映像データを、前記広告映像記憶手段から選択して読み出す広告映像読出手段とを有すると共に、
前記広告映像読出手段が読み出した広告映像データに基づいて、前記映像表示手段に広告映像を映し出すことを特徴とする広告表示システム。
【請求項２】
請求項１に記載する広告表示システムにおいて、
ホストコンピュータと接続されて、前記広告映像データ及びその広告映像データの属性を示す映像属性データとを受信する通信手段を有することを特徴とする広告表示システム。
【請求項３】
請求項１または請求項２に記載する広告表示システムにおいて、
前記映像属性データが商品の銘柄を含むと共に、
前記属性入力手段が、商品の銘柄指定手段を含むことを特徴とする広告表示システム。
【請求項４】
請求項１または請求項２に記載する広告表示システムにおいて、
前記映像属性データが、少なくとも広告を表示する時間帯、宣伝期間及び時間当りの表示する割合のいずれか一つ、またはそれらの総てをさらに含むことを特徴とする広告表示システム。
【請求項５】
請求項１乃至４のいずれか１項に記載する広告表示システムにおいて、
カラオケ装置に利用されるものであって、
前記映像属性データが、前記広告映像データに対応するカラオケ曲のジャンルをさらに含むことを特徴とする広告表示システム。
【請求項６】
請求項２に記載する広告表示システムであって、
広告が正常に表示されているか確認する表示状態確認手段と、
広告の表示が正常に終了したか確認する表示終了確認手段と、
前記表示状態確認手段と前記表示終了確認手段とによって前記広告が正常に表示されない又は正常に終了していないと確認された場合は、エラー情報が記録される記録手段とをさらに有することを特徴とする広告表示システム。
【請求項７】
請求項６に記載する広告表示システムにおいて、
前記通信手段が、前記映像表示手段に映し出された広告映像の実績情報をホストコンピュータへ送信することを特徴とする広告表示システム。
【発明の詳細な説明】
【０００１】
【産業上の利用分野】
本発明は、映像を映し出す映像表示手段と、その映像表示手段と接続される広告端末装置とを含む広告表示システムに関するものであり、更に詳細には、広告映像の属性を判断して、特定の属性を備える広告映像のみを映像表示手段で放映する広告表示システムに関するものである。
【０００２】
【従来の技術】
従来、スナック、バー、ホテル、カラオケボックス等では、カラオケ曲が選択されていない場合、広告映像をモニタに表示している。
また、近年、小人数のグループを顧客として、ビデオテープ等の映像記憶手段を用いて、任意の映画を上映するミニシアターが増加している。ミニシアターにおいても、映画の上映が始まる前に広告映像を放映している。その方が実際の劇場での上映に近い状況となるためである。
ここで、広告映像はテレビ等の放送と同様に、記憶している広告映像を順番にモニタに映し出していた。例えば、ビールの広告映像の場合、Ａ社、Ｂ社、及びＣ社のビール広告映像が記憶されていれば、全ての会社のビール広告映像を放映している。
そして、広告映像を映し出した場合、テレビ放送と同様に、放映した回数により広告主から広告料金を徴収している。
【０００３】
【発明が解決しようとする課題】
しかしながら、従来の広告表示システムには、次のような問題点があった。
すなわち、スナック、バー、ミニシアター等においては、例えば、Ａ社のビールのみを専門に販売している場合が多い。しかし、従来の広告表示システムでは、Ａ社、Ｂ社、及びＣ社の全てのビール広告映像を放映せざるを得なかった。同様のことは、チョコレート、アイスクリーム等でも発生する問題である。
特に、子供は広告映像の影響を受け易いため、放映された広告映像と同じ銘柄のチョコレートやアイスクリームは、販売数量が増加する傾向が強い。
そのため、カラオケボックス等の経営者の間では、特定の銘柄の広告映像のみを選択的に放映できる広告表示システムが要望されていた。
【０００４】
本発明では上記した従来の広告表示システムの問題点を解決すべく、特定の銘柄の広告映像を選択的に放映できる広告表示システムを提供することを目的とする。
【０００５】
【課題を解決するための手段】
上記目的を達成するための本発明の広告表示システムは、映像を映し出す映像表示手段と、複数の広告映像データと、その広告映像データの少なくとも商品の銘柄を含む該広告映像データの属性を示す映像属性データとを記憶する広告映像記憶手段と、商品の銘柄指定手段を含み、映像属性データを指定する属性入力手段と、前記属性入力手段で入力された映像属性データに対応する広告映像データを、前記広告映像記憶手段から選択して読み出す広告映像読出手段とを有すると共に、前記広告映像読出手段が読み出した広告映像データに基づいて、前記映像表示手段に広告映像を映し出すことを特徴とする。
【０００６】
また、本発明の広告表示システムは、上記システムにおいて、ホストコンピュータと接続されて、前記広告映像データ及びその広告映像データの属性を示す映像属性データとを受信する通信手段を有することを特徴とする。
また、本発明の広告表示システムは、上記システムにおいて、前記映像属性データが商品の銘柄を含むと共に、前記属性入力手段が、商品の銘柄指定手段を含むことを特徴とする。
また、本発明の広告表示システムは、上記システムにおいて、前記映像属性データが、少なくとも広告を表示する時間帯、宣伝期間及び時間当りの表示する割合のいずれか一つ、またはそれらの総てをさらに含むことを特徴とする。
また、本発明の広告表示システムは、カラオケ装置に利用されるものであって、前記映像属性データが、前記広告映像データに対応するカラオケ曲のジャンルをさらに含むことを特徴とする。
また、本発明の広告表示システムは、広告が正常に表示されているか確認する表示状態確認手段と、広告の表示が正常に終了したか確認する表示終了確認手段と、前記表示状態確認手段と前記表示終了確認手段とによって前記広告が正常に表示されない又は正常に終了していないと確認された場合は、エラー情報が記録される記録手段とをさらに有することを特徴とする。
また、本発明の広告表示システムは、前記通信手段が、前記映像表示手段に映し出された広告映像の実績情報をホストコンピュータへ送信することを特徴とする。
【０００７】
【作用】
上記構成を有する本発明の広告表示システムは、複数の広告映像データとその広告映像データの属性を示す映像属性データとを広告映像記憶手段に記憶しておき、属性入力手段によってその映像属性データを指定すると、属性入力手段で入力された映像属性データに対応する広告映像データが、広告映像読出手段によって広告映像記憶手段から選択して読み出され、その読み出された広告映像データに基づいて、映像表示手段に広告映像が映し出される。
また、本発明の広告表示システムでは、通信手段が、ホストコンピュータから前記広告映像データ及びその広告映像データの属性を示す映像属性データとが受信する。
【０００８】
また、本発明の広告表示システムでは、前記属性入力手段に含まれた商品の銘柄指定手段によって前記映像属性データ中の商品の銘柄を指定することにより、特定の銘柄の広告映像を選択的に放映する。
また、本発明の広告表示システムでは、広告が、その表示を見る人に適合するよう、対応する前記映像属性データの広告を表示する時間帯、宣伝期間又は時間当りの表示する割合のいずれか一つ、またはそれらの総てに従って表示される。
また、本発明の広告表示システムでは、前記映像表示手段に映し出された広告映像の実績情報が、前記通信手段によってホストコンピュータへ送信される。
【０００９】
【実施例】
以下、本発明の広告表示システムについて図面を参照して詳細に説明する。
図１は、本発明にかかる広告表示システムの第１実施例の機器構成概念のブロック図である。本実施例では、カラオケスナックやカラオケボックス等で使用されるカラオケ装置に利用した広告表示システムについて説明する。
本実施例の広告表示システムの情報の送受信を制御する情報制御装置１には、つぎのようなものが接続されて構成されている。カラオケ曲の背景動画と広告情報の動画や静止画や文字情報を表示するための映像出力装置２、カラオケ曲や広告情報のサウンドや音声を再生するための音響装置３、外部ネットワーク上に存在するホストコンピュータ７との間で通信回線６を介して情報を送受信するための通信手段４、広告情報や広告を表示するための各種情報を蓄積するための第１情報蓄積手段５、所定の商品等の広告を選択するための入力手段９が接続されている。一方、ホストコンピュータ７には、第２情報蓄積手段８が接続されている。
【００１０】
ここで、図２は、本実施例における情報制御装置１、及び第１情報蓄積手段５の構成を更に詳細に示したブロック図である。
情報制御装置１は、各種の情報を制御するＣＰＵ１１に、広告を表示するためのデータやプログラム等を一時的に記憶するための記憶装置であるＲＡＭ１２、映像や音声などを発生するための映像音響発生装置１３、時間管理のための計時手段としての時計１４が接続されて構成されている。更にＣＰＵ１１は、通信手段４及び表示する広告を選択するための入力手段９が接続されている。
そして、この情報制御装置１のＲＡＭ１２には、後述する当日表示計画情報１２ａ、当日ログ情報１２ｂ、広告名等の選択情報１２ｃ、そして読出プログラム１２ｄが一時的に記憶される。
【００１１】
一方、第１情報蓄積手段５は、広告映像を記憶する装置であるＣＤ−ＲＯＭ１５、広告情報やその情報を表示するためのデータやプログラム、更に広告情報を記憶する書き込み可能な記憶手段であるハードディスクドライブ（以下「ＨＤＤ」という）１６から構成されている。この第１情報蓄積手段５内のＣＤ−ＲＯＭ１５及びＨＤＤ１６には、ともに情報制御装置１のＣＰＵ１１に接続されている。そして、ＣＤ−ＲＯＭ１５には広告情報１５ａが配置され、ＨＤＤ１６は表示属性情報１６ａ、表示実績情報１６ｂが配置され、そして広告表示プログラム１６ｃが記憶されている。
ところで、ＣＤ−ＲＯＭ１５は、点線矢印が示すようにＲＡＭ１２又は映像音響発生装置１３に対して直接広告情報１５ａを送信するよう、ＲＡＭ１２や映像音響発生装置１３に接続されている場合もある。
【００１２】
次に、広告を表示するために用意された情報について説明する。
ＨＤＤ１６に配置された表示属性情報１６ａは、広告の表示を計画的に行なうために必要な属性情報である。ここで、図３は、その表示属性情報１６ａの内容を示した図である。表示属性情報１６ａには、広告の対象となる商品名やサービス名等を示す広告名、その広告の対象を一定の基準に従って分けた広告種別、広告対象の全体に対する広告する度合を示す優先度、及びこの単位時間当り最大限表示される割合を示す表示率が設定されている。また、表示属性情報１６ａには、広告対象毎の宣伝期間及び表示時間帯が設定されているが、表示時間帯を設定したのは、例えばカラオケボックス等では、時間帯によって学生同士、家族づれ、社会人といったように利用者が偏る傾向があるためである。そして、更にカラオケ曲の選択によっても広告の対象が区別されるようジャンルが設定されている。これは、曲のジャンルによって選択する人がある程度区別されるためである。例えば、演歌には中年以上の人が多いため日本酒や漬物等、ポップスには若者が多いため車やビール等といった広告をその曲の後に表示するようにする。
【００１３】
また、ＨＤＤ１６に配置された表示実績情報１６ｂは、実際に表示したことの情報やエラー情報である。図４は、その表示実績情報１６ｂの内容を示した図である。これには、
広告した日付、広告名、広告種別、そしてその日の表示回数の項目が設定されている。
更に、ＨＤＤ１６に記憶された広告表示プログラム１６ｃは、後述する一連の広告表示動作を示すものである。
ＣＤ−ＲＯＭ１５に配置された広告情報１５ａは、実際に表示される広告の内容を蓄積した情報である。図５は、広告情報１５ａの内容を示した図である。これには、商品名やサービス名等を示す広告名、その商品等が対応する広告種別、広告が表示される対応するカラオケ曲のジャンル、そして、実際に表示される広告に使用される映像、音楽等の宣伝内容が広告データとして記憶されている。
【００１４】
一方、情報制御装置１のＲＡＭ１２に配置された当日表示計画情報１２ａは、表示属性情報１６ａの優先度や宣伝期間等を基に、広告を毎日計画的に表示すべく作成されるものである。また、当日ログ情報１２ｂは、その日に発生したエラー情報を示すためのものであり、選択情報１２ｃは、入力手段９によって選択された広告名等の情報である。更に、読出プログラム１２ｄは、広告データをＣＤ−ＲＯＭ１５の広告情報１５ａから読み出すためのものである。
ここで図６は、当日表示計画情報１２ａの内容を示し、図７は、当日ログ情報１２ｂの内容を示している。この図６に示す当日表示計画情報１２ａは、ＨＤＤ１６に配置される上記表示属性情報１６ａの内容とほぼ同じであり、広告名、広告種別、優先日、表示時間帯、表示率、そして表示回数が設定されている。
また、図７に示した当日ログ情報１２ｂには、広告名に対応したエラー情報が設定されている。このエラー情報は、具体的には時刻や映像の表示ミス等の内容が記憶されることとなっている。
【００１５】
そして、以上のようなカラオケ装置に利用された広告表示システムは、ＨＤＤ１６に記憶された広告表示プログラム１６ｃに従って次のように作用する。
本広告表示システムでは、予めホストコンピュータ７から通信回線６を介して表示属性情報１６ａ及び広告情報１５ａが送信され記憶される。
そして、カラオケ装置が設置された各お店では、入力手段９によって所定商品等の広告が選択的に表示されるよう広告名・広告種別を入力し、ＲＡＭ１２に該当する広告の選択情報１２ｃとして記憶させる。
そこで、広告表示システムでは、読出プログラム１２ｄにより当日表示計画情報１２ａの表示時間帯等を基に、ＣＤ−ＲＯＭ１５から広告情報１５ａが順次読みだされ、映像出力装置２及び音響装置３に出力される。しかし、このとき先に入力した選択情報１２ｃによる当該商品等のジャンルでは、広告宣伝情報１５ａ内の他の銘柄による広告の表示を禁止し、選択された広告を優先的に表示する。
【００１６】
そして、本実施例のカラオケ装置に利用された広告表示システムでは、カラオケ装置の使用に際し次のように作用する。図８は、本実施例の広告表示システムがカラオケ装置によって作用する場合のフローチャートを示した図である。
営業開始時にカラオケ装置が起動すると（ステップ（以下「Ｓ」と記す）１）、ＣＰＵ１１は常に時刻を刻んでいる時計１４から現在の日時を取得する（Ｓ２）。そして、時計１４から日時の情報が得られたならば、ＨＤＤ１６の表示属性情報１６ａを参照して、日時情報からその日に表示すべき広告を決定する。
このとき、ＣＰＵ１１は、当日に表示すべき広告の計画状況をその日の表示計画情報として表示属性情報１６ａを基に、ＲＡＭ１２の当日表示計画情報１２ａに作成する。その際、当日の広告情報１５ａを得るために、各広告の表示回数は０に初期化される（Ｓ３）。
【００１７】
このようにしてカラオケ装置が起動すると、ＣＰＵ１１によって、カラオケ曲が演奏中であったり、その他の曲選定が行なわれている等、カラオケ利用者によって装置が使用さ
れているか否かが確認される（Ｓ４）。そして、カラオケ装置が使用中であれば（Ｓ４：ＹＥＳ）、その後もこの確認動作が繰り返し行なわれる。一方、カラオケ装置が使用されていなければ（Ｓ４：ＮＯ）、表示すべき広告を決定する（Ｓ５）。この決定は、ＣＰＵ１１が時計１４から得た日時のデータを基に、ＲＡＭ１２に作成された当日表示計画情報１２ａの中から表示期間、表示時間帯、表示率その他の属性とを比較して、現時点で表示すべき広告を決定する。
【００１８】
このように表示すべき広告が決定されると、ＣＰＵ１１はその決定に基づいてＣＤ−ＲＯＭ１５に記憶されている広告情報１５ａから該当する情報を読み出す（Ｓ６）。そして、ＣＰＵ１１は、その情報を順次映像出力装置２及び音響装置３に対して送出して表示する（Ｓ７）。
また、ＣＰＵ１１は、その情報を順次映像出力装置２及び音響装置３に対して送出すると同時に、広告が正常に表示されているか否かを映像出力装置２及び音響装置３からの異常動作信号の受信によって確認している（Ｓ８）。
そして、ＣＰＵ１１が異常動作信号を受信した異常表示の場合には（Ｓ８：ＮＯ）、ＲＡＭ１２内の当日ログ情報１２ｂには異常の内容が記録される（Ｓ９）。このような異常を確認する場合としては、広告を表示している途中で次の広告が重なってその表示が中断してしまったり、又はその広告自体が適正に表示されなかった場合等が該当する。
【００１９】
一方、ＣＰＵ１１が異常動作信号を受信しない正常表示が行なわれた場合には（Ｓ８：ＹＥＳ）、ＲＡＭ１２内の当日表示計画情報１２ａの該当する広告名の表示回数に１を加えて表示回数をカウントする。
そして、ＣＰＵ１１が異常動作信号を受信しない正常表示が行なわれたことを確認した後（Ｓ８：ＹＥＳ）、又は当日ログ情報１２ｂにその異常の内容を記録した後（Ｓ９）には、広告の表示が完了したか否かが確認される（Ｓ１０）。
従って、カラオケ曲の再生によって広告の表示が完了していない場合（Ｓ１０：ＮＯ）には、ひき続き広告の読み出し（Ｓ６）、広告の表示（Ｓ７）、及び当該広告の正常表示を確認（Ｓ８）が繰り返し実行される。
【００２０】
そして、カラオケ曲の演奏等により広告の表示が完了した場合（Ｓ１０：ＹＥＳ）には、それが正常な終了であるか否かが確認される（Ｓ１１）。即ち、カラオケ曲の再生等によって広告の表示が中断してしまったか否かが確認される。そこで、ＣＰＵ１１が正常な終了を確認した場合には（Ｓ１１：ＹＥＳ）、ＲＡＭ１２内の当日表示計画情報１２ａの該当する広告名の表示回数に１を加算してその回数をカウントする（Ｓ１２）。
一方、ＣＰＵ１１が異常動作信号を受信した場合には（Ｓ１１：ＮＯ）、表示回数をカウントすることなく、ＣＰＵ１１が発生した異常の内容をＲＡＭ１２内の当日ログ情報１２ｂに記録する（Ｓ１３）。
【００２１】
その後、カラオケ装置の起動を停止させる営業時間の終了か否かが確認され（Ｓ１３）、営業時間内であれば、これまでのＳ５からＳ１３までの動作が繰り返して実行される。
そして、その日の営業終了時間になった時（Ｓ１３：ＹＥＳ）、ＣＰＵ１１は、ＲＡＭ１２に記録した当日表示計画情報１２ａの表示回数と当日ログ情報１２ｂのエラー情報を参照しながら、ＨＤＤ１６内の表示実績情報１６ｂへ書き込む（Ｓ１４，Ｓ１５）。その後、ＨＤＤ１６の表示実績情報１６ｂへ書き込んだ情報が、通信手段４を通してネットワーク上に存在するホストコンピュータ７に送信され、第２情報蓄積手段５に格納される（Ｓ１６，Ｓ１７）。
【００２２】
以上、本実施例の広告表示システムでは、予めカラオケ装置が設置される場所や時間帯に基づいて、カラオケを利用する人やそこで販売、提供されている商品等に関連する広告を選択することができるようになったため、その宣伝対象の販売等に影響があるだろう人
に広告を効果的に表示することが可能となった。
また、広告が表示された回数をカウントし、適正に表示されたか否かをエラー情報として記憶するため、契約の公正さが保たれるようになった。
また、本実施例の広告表示システムでは、ホストコンピュータ７へ通信回線６を介して、実際に表示する広告情報や広告映像データの属性を示す表示実績情報とを送信する一方、表示実績情報を受信することができるので、広告情報の表示やその取扱いが容易となった。
【００２３】
次に、本発明の第２実施例について説明する。これは、本発明の広告表示システムを第１実施例ではカラオケ装置に使用したのに対し、本実施例ではミニシアタに応用したものである。本実施例の広告表示システムでは、上記第１実施例のものと共通する構成については同一の符号を付し、その説明は省略する。
図９は、本発明にかかる広告表示システムの第２実施例の機器構成概念のブロック図である。
本実施例の広告表示システムの情報の送受信を制御する情報制御装置１には、通信手段４、情報蓄積手段５、そして本実施例のミニシアタでは、各上映室に設けられた動画データ復元装置２３が接続されている。そして、本実施例の情報蓄積手段５には、上映する映画の動画データをＭＰＥＧの情報として圧縮して記憶した映像情報蓄積装置２２が構成されている。
【００２４】
ここで、広告を表示するために用意された情報は、上記第１実施例の図３乃至図７で示したものと同様である。但し、本実施例の広告表示システムはミニシアタに応用されたものであるため、表示属性情報１６ａのジャンルの項はない。
そして、このような構成による本実施例の広告表示システムは、上記第１実施例の図８で示したフローチャートとほぼ同様にして動作することとなる。そこで、第１実施例と異なる特徴的な箇所を図１０のフローチャートに基づいて説明する。
本実施例の広告表示システムはミニシアタに応用されたものであり、広告を表示する時間が上映される映画の前後に限られている。しかし、上映後では見ていた人の興味を引くことが殆ど期待できないので、本実施例では上映前の数分間で何種類かの広告を表示するようにしている。
【００２５】
そこで、ミニシアタでは、ＣＰＵ１１が上映の要求があったか否かを確認し（Ｓ１０１）、要求があった場合（Ｓ１０１：ＹＥＳ）には、映画の上映前にスクリーンに表示する広告の種類を選択する（Ｓ１０２）。そして、選択された種類の広告が表示されてその表示の適正が確認され（Ｓ６〜Ｓ９）、広告が表示される毎にＳ１０２で選択された種類の数に達したか否かが確認される（Ｓ１０３）。そこで、所定の数に達していなければ（Ｓ１０３：Ｎ０）繰り返し表示及び確認動作（Ｓ６〜Ｓ９）が行なわれ、所定の数に達したところで（Ｓ１０３：ＹＥＳ）、正常に広告の表示が終了されたか否かが確認される（Ｓ１１〜Ｓ１３）。
【００２６】
その後、要求のあった映画の映像情報が映像情報蓄積装置２２から読みだされ、所定の上映室の動画データ復元装置２３に送られて上映される（Ｓ１０４）。
そして、映画の上映が完了すると営業時間の終了が確認され（Ｓ１０５）、営業の終了時間であれば（Ｓ１０５：ＹＥＳ）、カウント数やエラー情報がＨＤＤ１６の表示実績情報１６ｂに書き込まれ（Ｓ１４〜Ｓ１５）、それが通信手段４を介してホストコンピュータ７に送信されて第２情報蓄積手段８に格納される（Ｓ１６〜Ｓ１７）。
一方、営業の終了時間でなければ（Ｓ１０５：ＮＯ）、再びＳ１０１に戻って上映要求があったことの確認を行なう。
【００２７】
以上、本実施例の広告表示システムでは、予めミニシアタを利用する人やそこで販売、
提供されている商品等に関連する広告を選択することができるようになったため、その宣伝対象の販売等に影響があるだろう人に広告を効果的に表示することが可能となった。
また、広告が表示された回数ををカウントし、適正に表示されたか否かをエラー情報として記憶するため、契約の公正さが保たれるようになった。
また、本実施例の広告表示システムでは、ホストコンピュータ７へ通信回線６を介して、実際に表示する広告情報や広告映像データの属性を示す表示実績情報とを送信する一方、表示実績情報を受信することができるので、広告情報の表示やその取扱いが容易となった。
【００２８】
なお、本発明は上記実施例に限定されるものではなく、その趣旨を逸脱しない範囲で様々な変更が可能である。
例えば、上記実施例において、通信手段４は情報制御装置１の外部装置として示したが、内部に組み込まれた構成としてもよい。
また、広告を計画的に表示するための情報の変更は可能であり、その情報の格納場所も本発明を実施できる限りにおいて、それぞれ効率のよい情報蓄積手段や一時的情報記憶装置内に配置してもよい。
また、広告宣伝情報は、実施例に示すように情報蓄積手段５に配置しない場合には、通信回線によって接続されるネットワーク上の記憶装置または情報蓄積装置に配置しておくことも可能である。
【００２９】
【発明の効果】
以上詳細に説明した本発明の広告表示システムでは、複数の広告映像データとその広告映像データの属性を示す映像属性データとを広告映像記憶手段に記憶させ、属性入力手段によってその映像属性データを指定すると、属性入力手段で入力された映像属性データに対応する広告映像データが、広告映像読出手段によって広告映像記憶手段から選択して読み出され、その読み出された広告映像データに基づいて、映像表示手段に広告映像が映し出されるよう構成したので、特定の銘柄の広告映像を選択的に放映できる広告表示システムを提供することが可能となった。
【図面の簡単な説明】
【図１】本発明にかかる広告表示システムの第１実施例の機器構成概念のブロック図である。
【図２】  第１実施例における情報制御装置、及び第１情報蓄積手段の構成を詳細に示したブロック図である。
【図３】  表示属性情報の内容を示した図である。
【図４】  表示実績情報の内容を示した図である。
【図５】  広告情報の内容を示した図である。
【図６】  当日表示計画情報の内容を示した図である。
【図７】  当日ログ情報の内容を示した図である。
【図８】  第１実施例の広告表示システムがカラオケ装置によって作用する場合のフローチャートを示した図である。
【図９】  発明にかかる広告表示システムの第２実施例の機器構成概念のブロック図である。
【図１０】  第２実施例の広告表示システムが作用する場合のフローチャートを示した図である。
【符号の説明】
１    情報制御装置
２    映像出力装置
３    音響装置
４    通信手段
５    第１情報蓄積手段
６    通信回線
７    ホストコンピュータ
８ 第２情報蓄積手段
９    入力手段
１１  ＣＰＵ
１２  ＲＡＭ
１５  ＣＤ−ＲＯＭ
１６  ＨＤＤ
１２ａ  当日表示計画情報
１２ｂ  当日ログ情報
１２ｃ  選択情報
１２ｄ  読出プログラム
１５ａ  広告宣伝情報
１６ａ  表示属性情報
１６ｂ  表示実績情報
１６ｃ  広告表示プログラム
【図１】
0003765596.tif 000002
【図２】
0003765596.tif 000003
【図３】
0003765596.tif 000004
【図４】
0003765596.tif 000005
【図５】
0003765596.tif 000006
【図６】
0003765596.tif 000007
【図７】
0003765596.tif 000008
【図８】
0003765596.tif 000009
【図９】
0003765596.tif 000010
【図１０】
0003765596.tif 000011